(57)【要約】【課題】降雪時、光電管からの出射光を遮るような光電管カバーへの着雪を防止し、光電管の誤検知の発生を回避することを目的とする。【解決手段】光電管カバー1は、箱状の本体5と、本体5の、光電管3からの出射光の光軸Lと対向する壁板の少なくとも一部を構成する光透過体7と、光透過体7の加熱手段9とを備える。光透過体７は、下方から上方に向うに従い光電管3から離間する態様で傾斜されている。これにより、降雪時、風に乗った雪が光透過体7に吹付けられ、その表面に付着したとしても、雪の自重により、あるいは、風が光透過体7の傾斜面に沿って斜め下方に流れるため、雪も風を受けて斜め下方に流れ、光透過体7に着雪し難い。又、雪が光透過体7に付着しても、加熱手段9によって加熱された光透過体7の熱によって雪が溶け、光透過体7への着雪が回避される。その結果、光電管3からの出射光の光軸Lが遮られず、光電管3の誤検知の発生を回避することが可能となる。【選択図】図３
2020045628.tif 000002
【特許請求の範囲】
【請求項１】
機械式駐車装置に設置される光電管を覆う光電管カバーであって、
該光電管カバーは、箱状の本体を含み、
該本体の、前記光電管からの出射光の光軸と対向する壁板が、下方から上方に向うに従い前記光電管から離間する態様で傾斜し、前記壁板の一部に前記光電管からの出射光の光軸を通すための切り欠き部が形成されていることを特徴とする光電管カバー。
【請求項２】
前記本体は、長方形の天板、該天板の長辺に接する一対の側板、及び、前記天板の一方の短辺及び前記一対の側板に接する前板を有する第１筺体と、
長方形の底板、該底板の一方の短辺に接する前板、及び、前記底板の他方の短辺に接する後板を有する第２筺体とを含み、
前記第１筺体の前記前板は、前記天板の一方の短辺に接する一端部から他端部に向うに従い後方に傾斜し、前記前板の傾斜に倣って、前記一対の側板の、前記前板との接続辺も傾斜しており、
前記第２筺体の前記底板の長辺の長さ寸法は、前記第１筺体の前記天板の長辺の長さ寸法より小さく、前記第２筺体の前記前板は、前記第１筺体の前記前板に倣って傾斜しており、
前記第２筺体の前記底板に前記光電管の取付部が形成され、前記第２筺体の前記前板が、前記光電管からの出射光の光軸に対向する壁板であり、
前記第１筺体の前記前板には、前記光電管からの出射光の光軸を通すための切り欠き部が形成され、
前記第１筺体の前記前板の後方に前記第２筺体の前記前板が位置するように、前記第１筺体と前記第２筺体とが組み合わされていることを特徴とする請求項１に記載の光電管カバー。
【請求項３】
前記第１筺体及び前記第２筺体を固定する締結具を挿通するための挿通孔が、前記第１筺体の前記前板及び前記第２筺体の前記前板に形成されていることを特徴とする請求項２に記載の光電管カバー。
【請求項４】
前記第２筺体を機械式駐車装置の被取付部に取付けるための締結具を挿通する挿通孔が、前記第２筺体の前記底板及び前記後板の少なくとも一方に形成されていることを特徴とする請求項２又は３に記載の光電管カバー。
【請求項５】
前記光電管カバーは、前記第２筺体の前記前板の前記切り欠き部を内側から塞ぐ態様で、前記第２筺体の前記前板に固定される光透過体と、該光透過体の加熱手段とを備えることを特徴とする請求項２乃至４のいずれか１項に記載の光電管カバー。
【請求項６】
前記加熱手段は、前記光透過体の、少なくとも前記光電管からの出射光の光軸が通過する部分を除き、前記光透過体の板面に積層される板状のヒータを含むことを特徴とする請求項５に記載の光電管カバー。
【請求項７】
前記第２筺体の前記前板と前記光透過体との間には、前記第２筺体の前記前板及び前記光透過体の、少なくとも前記光電管からの出射光の光軸が通過する部分を除き、断熱材が配置されていることを特徴とする請求項５又は６に記載の光電管カバー。
【請求項８】
前記光透過体は、ガラス板であることを特徴とする請求項５乃至７のいずれか１項に記載の光電管カバー。
【発明の詳細な説明】
【技術分野】
【０００１】
本発明は、機械式駐車装置に設置される光電管を覆う光電管カバーに関するものである。
【背景技術】
【０００２】
機械式駐車装置には、入庫した車両の位置を検知するための光電管（光電スイッチ）や、車両の入庫中に、機械式駐車装置内に侵入する車両又は侵入者を検知するための光電管等の安全装置が設けられている。例えば、特許文献１には、複数の光電管を設けた機械式駐車装置が開示されている。この複数の光電管は、車両が乗入れフロアに乗入れたことを検知する光電管と、車両が所定の入庫位置に乗入れたことを検知する光電管と、車両が入庫位置を逸脱したことを検知する光電管とを含んでいる。
【先行技術文献】
【特許文献】
【０００３】
【特許文献１】特開平７−３３１９１９号公報
【発明の概要】
【発明が解決しようとする課題】
【０００４】
ところで、多くの場合には、機械式駐車装置に設けられた光電管は、塵、埃等の異物、又は、雨、雪等の外的要因から保護するために、光電管からの出射光の光軸を遮らない部分を備えたカバーよって覆われている。しかしながら、降雪時には、カバーに着雪することがある。これにより、光電管からの出射光が遮られて、光電管が誤検知する虞があり、着雪を除去する必要がある。ここで、機械式駐車装置の奥方（すなわち、車両の出入口の反対側）に設置される光電管などは、機械式駐車装置内に人が立ち入らないことを前提としていることからして、光電管のカバーに付着した雪を取り除くことが困難となっている。
【０００５】
本発明は、上記課題に鑑みてなされたものであり、その目的にするところは、降雪時、光電管からの出射光を遮るような光電管カバーへの着雪を防止し、光電管の誤検知の発生を回避することにある。
【課題を解決するための手段】
【０００６】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、又は、さらに他の構成要素を付加した態様についても、本発明の一態様になり得るものである。
【０００７】
（１）機械式駐車装置に設置される光電管を覆う光電管カバーであって、該光電管カバーは、箱状の本体を含み、該本体の、前記光電管からの出射光の光軸と対向する壁板が、下方から上方に向うに従い前記光電管から離間する態様で傾斜し、前記壁板の一部に前記光電管からの出射光の光軸を通すための切り欠き部が形成されている光電管カバー（請求項１）。
【０００８】
本項に係る光電管カバーにおいて、光電管が箱状の本体によって覆われることで、光電管が塵、埃等、又は、雨、雪等の外的要因に直接的に接することがなくなる。又、箱状の本体の、光電管からの出射光の光軸と対向する壁板は、下方から上方に向うに従い光電管から離間する態様で傾斜している。この構成により、風に乗った雪が、本体の、光電管からの出射光の光軸と対向する壁板に吹付けられ、その表面に付着したとしても、雪の自重により、あるいは、風が壁板の傾斜面に沿って斜め下方に流れるため、雪も風を受けて斜め下方に流れることで、壁板に着雪し難いものとなる。さらに、壁板は、その一部に切り欠き部が形成されていることで、光電管からの出射光の光軸を透過させる箇所が確保される。
【０００９】
（２）上記（１）項において、前記本体は、長方形の天板、該天板の長辺に接する一対の側板、及び、前記天板の一方の短辺及び前記一対の側板に接する前板を有する第１筺体と、長方形の底板、該底板の一方の短辺に接する前板、及び、前記底板の他方の短辺に接する後板を有する第２筺体とを含み、前記第１筺体の前記前板は、前記天板の一方の短辺に接する一端部から他端部に向うに従い後方に傾斜し、前記前板の傾斜に倣って、前記一対の側板の、前記前板との接続辺も傾斜しており、前記第２筺体の前記底板の長辺の長さ寸法は、前記第１筺体の前記天板の長辺の長さ寸法より小さく、前記第２筺体の前記前板は、前記第１筺体の前記前板に倣って傾斜しており、前記第２筺体の前記底板に前記光電管の取付部が形成され、前記第２筺体の前記前板が、前記光電管からの出射光の光軸に対向する壁板であり、前記第１筺体の前記前板には、前記光電管からの出射光の光軸を通すための切り欠き部が形成され、前記第１筺体の前記前板の後方に前記第２筺体の前記前板が位置するように、前記第１筺体と前記第２筺体とが組み合わされている光電管カバー（請求項２）。
【００１０】
本項に係る光電管カバーにおいて、本体は、長方形の天板、天板の長辺に接する一対の側板、及び、天板の一方の短辺及び一対の側板に接する前板を有する第１筺体と、長方形の底板、底板の一方の短辺に接する前板、及び、底板の他方の短辺に接する後板を有する第２筺体とを含む。この構成により、第１筺体の前板の後方に第２筺体の前板が位置するように、第１筺体と第２筺体とが組み合わされることで、光電管を覆う箱体が構成される。又、第１筺体の前板には、光電管からの出射光の光軸を通すための切り欠き部が形成されていることで、第１筺体と第２筺体とが組合わされた状態で、第１筺体の前板の切り欠き部及び第２筺体の前板の切り欠き部によって、光電管からの出射光の光軸が遮られることもない。さらに、第１筺体の前板は、天板の一方の短辺に接する一端部から他端部に向うに従い後方に傾斜し、前板の傾斜に倣って、一対の側板の、前板との接続辺も傾斜しており、第２筺体の底板の長辺の長さ寸法は、第１筺体の天板の長辺の長さ寸法より小さい。この構成により、本体は、第１筺体の天板と第１筺体の前板とが接する短辺側が前方に突き出る形状をなすので、風に乗った雪が本体に吹付けられ、その表面に付着したとしても、雪の自重により、あるいは、風が第１筺体の前板の傾斜面に沿って斜め下方に流れるため、雪も風を受けて斜め下方に流れ、第１筺体の前板に着雪し難いものとなる。さらに、第２筺体は、その底板に光電管の取付部が形成されており、光電管が取付部を介して第２筺体の底板に固定されることとなる。すなわち、光電管は第２筺体側に固定され、第１筺体には固定されていない。このため、光電管の調整等のために光電管カバーを開放するような場合において、第２筺体から第１筺体を取外して、第２筺体に固定された光電管を露出させることで、光電管の調整等を行うこととなる。このとき、光電管に不用意な位置ずれが生じることはなく、光電管等につながる配線が引張られる等、配線に無理な力が加わることもない。
【００１１】
（３）上記（２）項において、前記第１筺体及び前記第２筺体を固定する締結具を挿通するための挿通孔が、前記第１筺体の前記前板及び前記第２筺体の前記前板に形成されている光電管カバー（請求項３）。
【００１２】
本項に係る光電管カバーにおいて、第１筺体の前板及び第２筺体の前板には、第１筺体及び第２筺体を固定する締結具を挿通するための挿通孔が形成されている。この構成により、光電管の光軸の調整、点検等の作業時、第１筺体と第２筺体との着脱を行う必要がある場合に、作業者は、第１筺体及び第２筺体の前板を正面に見て、締結具の着脱作業を行うこととなる。このため、降雪時などの低温環境において、手袋を装着した状態で締結具を着脱する場合であっても、その作業性が確保されるものとなる。
【００１３】
（４）上記（２）又は（３）項において、前記第２筺体を機械式駐車装置の被取付部に取付けるための締結具を挿通する挿通孔が、前記第２筺体の前記底板及び前記後板の少なくとも一方に形成されている光電管カバー（請求項４）。
【００１４】
本項に係る光電管カバーにおいて、第２筺体の底板及び後板の少なくとも一方には、第２筺体を機械式駐車装置の被取付部に取付けるための締結具を挿通する挿通孔が形成されているので、光電管カバーに覆われる光電管の、機械式駐車装置側の被取付部の位置に応じて、締結具を挿通するための挿通孔を選択することとなる。
【００１５】
（５）上記（２）乃至（４）のいずれか１項において、前記光電管カバーは、前記第２筺体の前記前板の前記切り欠き部を内側から塞ぐ態様で、前記第２筺体の前記前板に固定される光透過体と、該光透過体の加熱手段とを備える光電管カバー（請求項５）。
【００１６】
本項に係る光電管カバーにおいて、光透過体は、第２筺体の前板の切り欠き部を内側から塞ぐ態様で、第２筺体の前板に固定されることで、光透過体及び切り欠き部によって、光電管からの出射光の光軸を透過させる箇所が確保される。さらに、光電管カバーには、光透過体を加熱する加熱手段が設けられていることにより、降雪時、雪が光透過体に付着しても、加熱手段によって加熱された光透過体の熱によって雪が溶け、光透過体への着雪が回避されることとなる。
【００１７】
（６）上記（５）項において、前記加熱手段は、前記光透過体の、少なくとも前記光電管からの出射光の光軸が通過する部分を除き、前記光透過体の板面に積層される板状のヒータを含む光電管カバー（請求項６）。
【００１８】
本項に係る光電管カバーにおいて、加熱手段は、光透過体の、少なくとも光電管からの出射光の光軸が通過する部分を除き、光透過体の板面に積層される板状のヒータを含むものである。この構成により、光透過体の、少なくとも光電管からの出射光の光軸が通過する部分に遮る物がないので、光電管からの出射光の光軸は、光透過体を確実に透過することとなる。又、ヒータは、光透過体の板面に密着しているため、ヒータからの熱が光透過体に対して直接的に伝導されるので、効率的に光透過体を加熱させるものとなる。さらに、ヒータは、光透過体と共に第２筺体の前板に固定されるので、ヒータの調整のために光電管カバーを開放しても、上記（２）項の光電管カバーで得られるものと同等の作用が得られるものとなる。
【００１９】
（７）上記（５）又は（６）項において、前記第２筺体の前記前板と前記光透過体との間には、前記第２筺体の前記前板及び前記光透過体の、少なくとも前記光電管からの出射光の光軸が通過する部分を除き、断熱材が配置されている光電管カバー（請求項７）。
【００２０】
本項に係る光電管カバーにおいて、断熱材は、第２筺体の前板及び光透過体の、少なくとも光電管からの出射光の光軸が通過する部分を除き、第２筺体の前板と光透過体との間に配置されることで、加熱手段のヒータによって加熱された光透過体の熱が第２筺体の前板に伝導されることが防げられ、光透過体の温度維持が容易となる。
【００２１】
（８）上記（５）ないし（７）項のいずれか１項において、前記光透過体は、ガラス板である光電管カバー（請求項８）。
【００２２】
本項に係る光電管カバーにおいて、光透過体は、ガラス板であることで、光透過体の必要な強度、耐久性、透明度が確保されるものである。又、光透過体のみをガラスとすることで、光電管カバー全体としての強度、耐久性、生産性、製造コスト等が適切なものとなる。
【発明の効果】
【００２３】
本発明は、以上のように構成したことにより、降雪時、光電管からの出射光を遮るような光電管カバーへの着雪を防ぎ、光電管の誤検知の発生を回避することができる。
【図面の簡単な説明】
【００２４】
【図１】本発明の一実施形態に係る光電管カバーの概略斜視図である。
【図２】図１に示す光電管カバーの四面図であり、（ａ）は、光電管カバーの正面図、（ｂ）は、光電管カバーの側面図、（ｃ）は、光電管カバーの底面図、（ｄ）は、光電管カバーの背面図である。
【図３】図１に示す光電管カバーの本体の分解図である。
【図４】図３に示す本体の第１筺体の斜視図である。
【図５】図３に示す本体の第２筺体の斜視図である。
【図６】図３に示す光透過体、加熱手段及び断熱材の斜視図である。
【発明を実施するための形態】
【００２５】
以下、一実施形態に係る光電管カバーの構成を図１〜６に基づいて詳細に説明する。
本発明の一実施形態に係る光電管カバー１は、光電管３（図３参照）を塵、埃等の異物、又は、雨、雪等の外的要因から保護するためものである。この光電管カバー１は、図１及び図３を参照して、本体５と、光透過体７と、加熱手段９と、断熱材１１とを備える。
ここで、図３に示すように、光電管３は、光電管３の光出射部（図示せず）が光透過体７に対向するように、後述する第２筺体２３の取付部４３に取付けられる。
【００２６】
本体５は、金属材料又は合成樹脂等の材料からなる不透明な箱体であり、第１筺体２１と、第２筺体２３とから構成される。第１筺体２１は、長方形の天板２５、この天板２５の長辺に接する一対の側板２７，２７、及び、天板２５の一方の短辺及び一対の側板２７，２７に接する前板２９を有し、底部及び後部が開放されている（図４参照）。第１筺体２１の前板２９は、天板２５の一方の短辺に接する一端部から他端部に向うに従い後方に傾斜されている。又、前板２９には、その他端部から一端部に向かって切り欠いた、光電管３からの出射光の光軸Ｌ（図１及び図３参照）を通すための切り欠き部３１が形成されている。この切り欠き部３１は、正面視で、中央部よりも右寄り（図２（ａ）の紙面の右側）にオフセットするように形成されている。さらに、前板２９には、第１筺体２１及び第２筺体２３を固定する締結具３３（図３参照）を挿通するための複数の挿通孔３５（本実施形態では、２つ形成されている、図４参照）が形成されている。第１筺体２１の一対の側板２７，２７は、前板２９の傾斜に伴い、一対の側板２７，２７の、前板２９との接続辺が傾斜されている。
【００２７】
第２筺体２３は、長方形の底板３７、この底板３７の一方の短辺に接する前板３９、及び、底板３７の他方の短辺に接する後板４１を有し、天部及び側部が開放されている（図５参照）。第２筺体２３の底板３７は、その長辺の長さ寸法が第１筺体２１の天板２５の長辺の長さ寸法より小さく設定されている（図２（ｂ）参照）。又、底板３７には、光電管３を取付けるためのブラケット状の取付部４３（図３参照）が設けられている。さらに、底板３７は、機械式駐車装置の被取付部（図示せず）に取付けるための締結具４５（図３参照）を挿通する挿通孔４７（本実施形態では、２つ形成されている、図５参照）が形成されている。第２筺体２３の前板３９は、光電管３からの出射光の光軸Ｌに対向する壁板であり、第１筺体２１の前板２９に倣って傾斜されている。具体的には、前板３９は、下方（底板３７の一方の短辺に接する一端部）から上方に向かうに従い光電管３から離間する態様で傾斜するように構成されている（図３参照）。又、前板３９には、光電管３からの出射光の光軸Ｌを通すための切り欠き部４９と、第１筺体２１及び第２筺体２３を固定する締結具３３を挿通する挿通孔５１（本実施形態では、２つ形成されている）と、光透過体７、加熱手段９及び断熱材１１を第２筺体２３の前板３９に固定させる締結具５３（図３参照）を挿通する挿通孔５５（本実施形態では、２つ形成されている、図５参照）とが形成されている。第２筺体２３の後板４１は、その先端が光電管３に向かって傾斜しており、第２筺体２３を機械式駐車装置の被取付部（図示せず）に取付けるための締結具４５（図３参照）を挿通する挿通孔５７（本実施形態では、２つ形成されている、図５参照）が形成されている。底板３７と後板４１との接続辺の一部には、光電管３のケーブル６５及び加熱手段９のヒータ６１のケーブル６７を本体５の外側に出すための切り欠き５９（図２（ｃ）、図２（ｄ）及び図５参照）が形成されている。
【００２８】
光透過体７は、板状をなした無色透明のガラス板であり、第２筺体２３の前板３９の切り欠き部４９を内側から塞ぐ態様で、第２筺体２３の前板３９に固定される。具体的には、光透過体７は、第２筺体２３の前板３９の傾斜に倣って、下方から上方に向うに従い光電管３から離間する態様で傾斜するように、後述する断熱材１１（図３参照）を第２筺体２３の前板３９との間に介在させて、締結具５３により、第２筺体２３の前板３９に固定される。
【００２９】
加熱手段９は、ヒータ６１（図６参照）を含み、このヒータ６１は、光透過体７の、少なくとも光電管３からの出射光の光軸Ｌが通過する部分を除き、光透過体７の板面に積層して配置される。具体的には、ヒータ６１は、光透過体７の、光電管３に対向する側の板面に積層される。断熱材１１は、光透過体７の、少なくとも光電管３からの出射光の光軸Ｌが通過する部分を除き、光透過体７及びヒータ６１とを挟持するように積層される。ヒータ６１及び断熱材１１は、締結具５３及び固定板６３（図３参照）によって、光透過体７と共に、第２筺体２３の前板３９に固定される。
【００３０】
以上、上記構成を有する一実施形態に係る光電管カバー１によれば、次の作用効果を得ることが可能となる。すなわち、光電管３が箱状の本体５（第１筺体２１及び第２筺体２３）によって覆われることで、光電管３が塵、埃等、又は、雨、雪等の外的要因に直接的に接することがなくなる。又、光電管カバー１は、光電管３からの出射光の光軸Ｌと対向する位置に光透過体７を設けることで、光電管３からの出射光の光軸Ｌが光透過体７を透過し、光軸Ｌを遮るのを防ぐ。さらに、光電管カバー１には、光透過体７を加熱する加熱手段９（ヒータ６１）が設けられていることにより、降雪時、雪が光透過体７に付着しても、加熱手段９によって加熱された光透過体７の熱によって雪が溶け、光透過体７への着雪が回避される。その結果、光電管３からの出射光の光軸Ｌが遮られず、光電管３の誤検知の発生を回避することが可能となる。
【００３１】
又、一実施形態に係る光電管カバー１によると、光透過体７は、板状をなし、下方から上方に向うに従い光電管３から離間する態様で傾斜しているので、風に乗った雪が光透過体７に吹付けられ、その表面に付着したとしても、雪の自重により、あるいは、風が光透過体７の傾斜面に沿って斜め下方に流れるため、雪も風を受けて斜め下方に流れ、光透過体７に着雪し難くする。
【００３２】
さらに、一実施形態に係る光電管カバー１によると、板状のヒータ６１（加熱手段９）は、光透過体７の、少なくとも光電管３からの出射光の光軸Ｌが通過する部分を除き、光透過体７の板面に積層されているので、光透過体７の、少なくとも光電管３からの出射光の光軸Ｌが通過する部分に遮るものがなく、光電管３からの出射光の光軸Ｌは、光透過体７を確実に透過することが可能となる。又、ヒータ６１は、光透過体７の板面に密着しているため、ヒータ６１からの熱が光透過体７に対して直接的に伝導されるので、効率的に光透過体７を加熱させることが可能となる。
【００３３】
一実施形態に係る光電管カバー１によると、第２筺体２３の前板３９には、光電管３からの出射光の光軸Ｌと対向する箇所に切り欠き部４９が形成されており、その切り欠き部４９を内側から塞ぐ態様で、光透過体７が第２筺体２３の前板３９に固定される。その結果、光透過体７及び切り欠き部４９によって、光電管３からの出射光の光軸Ｌを透過させる箇所が確保され、光電管３の誤検知の発生を回避することが可能となる。
又、第１筺体２１の前板２９にも、光電管３からの出射光の光軸Ｌを通すための切り欠き部３１が形成されているため、第１筺体２１と第２筺体２３とが組合わされた状態で、第１筺体２１によって光透過体７から透過された、光電管３からの出射光の光軸Ｌが遮られず、光電管３の誤検知の発生を回避することが可能となる。
【００３４】
一実施形態に係る光電管カバー１によると、断熱材１１は、少なくとも光電管３からの出射光の光軸Ｌが通過する部分を除き、第２筺体２３及びヒータ６１を挟持するように積層されているので、ヒータ６１によって加熱された光透過体７の熱が第２筺体２３の前板３９に伝導することを妨ぎ、光透過体７の温度維持が容易となる。
【００３５】
一実施形態に係る光電管カバー１によると、第１筺体２１の前板２９は、天板２５の一方の短辺に接する一端部から他端部に向うに従い後方に傾斜し、第１筺体２１の前板２９の傾斜に倣って、一対の側板２７，２７の、前板２９との接続辺も傾斜しており、第２筺体２３の底板３７の長辺の長さ寸法は、第１筺体２１の天板２５の長辺の長さ寸法より小さい。このため、本体５は、第１筺体２１の天板２５と第１筺体２１の前板２９とが接する短辺側が前方に突き出る形状をなすので、風に乗った雪が本体５に吹付けられ、その表面に付着したとしても、雪の自重により、あるいは、風が第１筺体２１の前板２９の傾斜面に沿って斜め下方に流れるため、雪も風を受けて斜め下方に流れ、第１筺体２１の前板２９に着雪し難くする。
【００３６】
一実施形態に係る光電管カバー１によると、第２筺体２３は、その底板３７に光電管３の取付部４３が形成されており、光電管３が取付部４３を介して第２筺体２３の底板３７に固定されているので、光電管３の調整等を行う場合、光電管カバー１を開放したとしても、光電管３に不用意な位置ずれが生じることなく、光電管３及びヒータ６１につながる配線が引張られる等、配線に無理な力が加わることもない。又、ヒータ６１は、光透過体７と共に第２筺体２３の前板３９に固定されていることから、ヒータ６１の調整の際にも同様の作用を得ることが可能となる。
【００３７】
一実施形態に係る光電管カバー１によると、第１筺体２１の前板２９及び第２筺体２３の前板３９には、第１筺体２１及び第２筺体２３を固定する締結具３３を挿通するための挿通孔３５，５１が形成されている。このため、光電管３の光軸Ｌの調整、点検等の作業時、第１筺体２１と第２筺体２３との着脱を行う場合に、作業者は、第１筺体２１の前板２９及び第２筺体２３の前板３９を正面に見て、締結具３３の着脱作業を行うため、降雪時などの低温環境において、手袋を装着した状態で締結具３３を着脱する場合であっても、その作業性が確保される。
【００３８】
一実施形態に係る光電管カバー１によると、第２筺体２３の底板３７及び後板４１には、第２筺体２３を機械式駐車装置の被取付部に取付けるための締結具４５を挿通する挿通孔４７，５７が形成されているので、機械式駐車装置側の被取付部の位置に応じて、光電管カバー１に覆われる光電管３を適切に設置することが可能となる。
【００３９】
一実施形態に係る光電管カバー１によると、光透過体７は、ガラス板であることで、光透過体７の必要な強度、耐久性、透明度が確保される。又、光透過体７のみをガラス材とすることで、光電管カバー１全体としての強度、耐久性、生産性、製造コスト等が適切なものとなる。
【００４０】
なお、一実施形態に係る光電管カバー１では、本体５は、第１筺体２１の天板２５と第１筺体２１の前板２９とが接する短辺側が前方に突き出る角形の箱体であるが、少なくとも一部の壁面が曲線状の面を有する本体、半球状の本体等であってもよい。
【００４１】
又、一実施形態に係る光電管カバー１では、第１筺体２１の前板２９は、天板２５の一方の短辺に接する一端部から他端部に向うに従い後方に傾斜されるように構成され、第２筺体２３の前板３９及び光透過体７は、下方から上方に向かうに従い光電管３から離間する態様で傾斜するように構成されているが、第１筺体２１の前板２９及び第２筺体２３の前板３９を傾斜させず、光透過体７のみを下方から上方に向かうに従い光電管３から離間する態様で傾斜させる構成であってもよい。
【００４２】
さらに、一実施形態に係る光電管カバー１では、第１筺体２１の前板２９及び第２筺体２３の前板３９には、光電管３からの出射光の光軸Ｌを通す切り欠き部３１，４９が形成されているが、光電管３からの出射光の光軸Ｌを通すことが可能であるのならば開口であってもよい。又、第１筺体２１の切り欠き部３１及び第２筺体２３の切り欠き部４９は、正面視で、中央部よりも右寄り（図２（ａ）の紙面の右側）にオフセットするように形成されているが、光電管３からの出射光の光軸Ｌの位置に応じて適宜形成位置を変更してもよい。
【００４３】
又、一実施形態に係る光電管カバー１では、本体５は、不透明な箱体であるが、透明又は半透明の箱体であってもよい。さらに、光透過体７は、無色透明のガラス板であるが、無色透明の、アクリル、ポリカーボネート等の他の樹脂からなる板状部材であってもよく、光電管３からの出射光の光軸Ｌを透過させることが可能であるのならば半透明又は着色してもよい。
【符号の説明】
【００４４】
１…光電管カバー、３…光電管、５…本体、２３…第２筺体、３９…前板（壁板）、Ｌ…光軸
【図１】
2020045628.tif 000003
【図２】
2020045628.tif 000004
【図３】
2020045628.tif 000005
【図４】
2020045628.tif 000006
【図５】
2020045628.tif 000007
【図６】
2020045628.tif 000008
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
機械式駐車装置に設置される光電管を覆う光電管カバーであって、
該光電管カバーは、第１筺体と、第２筺体とを有する箱状の本体を含み、
前記第１筺体の、前記光電管からの出射光の光軸と対向する面が、下方から上方に向うに従い前記光電管から離間する態様で傾斜し、前記面の一部に前記光電管からの出射光の光軸を通すための切り欠き部が形成され、
前記第２筺体の、前記光電管からの出射光の光軸と対向する壁板が、下方から上方に向うに従い前記光電管から離間する態様で傾斜し、前記壁板の一部に前記光電管からの出射光の光軸を通すための切り欠き部が形成され、さらに、前記第２筺体は、前記光電管の取付部が設けられ、
前記第１筺体の前記面の後方に前記第２筺体の壁板が位置するように、前記第１筺体と前記第２筺体とが組み合わされていることを特徴とする光電管カバー。
【請求項２】
前記本体は、長方形の天板、該天板の長辺に接する一対の側板、及び、前記天板の一方の短辺及び前記一対の側板に接する前板を有する第１筺体と、
長方形の底板、該底板の一方の短辺に接する前板、及び、前記底板の他方の短辺に接する後板を有する第２筺体とを含み、
前記第１筺体の前記前板は、前記天板の一方の短辺に接する一端部から他端部に向うに従い後方に傾斜し、前記前板の傾斜に倣って、前記一対の側板の、前記前板との接続辺も傾斜しており、
前記第２筺体の前記底板の長辺の長さ寸法は、前記第１筺体の前記天板の長辺の長さ寸法より小さく、前記第２筺体の前記前板は、前記第１筺体の前記前板に倣って傾斜しており、
前記第２筺体の前記底板に前記光電管の前記取付部が形成され、前記第２筺体の前記前板が、前記光電管からの出射光の光軸に対向する前記壁板であり、
前記第１筺体の前記前板が前記光電管からの出射光の光軸に対向する前記面であることを特徴とする請求項１に記載の光電管カバー。
【請求項３】
前記第１筺体及び前記第２筺体を固定する締結具を挿通するための挿通孔が、前記第１筺体の前記前板及び前記第２筺体の前記前板に形成されていることを特徴とする請求項２に記載の光電管カバー。
【請求項４】
前記第２筺体を機械式駐車装置の被取付部に取付けるための締結具を挿通する挿通孔が、前記第２筺体の前記底板及び前記後板の少なくとも一方に形成されていることを特徴とする請求項２又は３に記載の光電管カバー。
【請求項５】
前記光電管カバーは、前記第２筺体の前記前板の前記切り欠き部を内側から塞ぐ態様で、前記第２筺体の前記前板に固定される光透過体と、該光透過体の加熱手段とを備えることを特徴とする請求項２乃至４のいずれか１項に記載の光電管カバー。
【請求項６】
前記加熱手段は、前記光透過体の、少なくとも前記光電管からの出射光の光軸が通過する部分を除き、前記光透過体の板面に積層される板状のヒータを含むことを特徴とする請求項５に記載の光電管カバー。
【請求項７】
前記第２筺体の前記前板と前記光透過体との間には、前記第２筺体の前記前板及び前記光透過体の、少なくとも前記光電管からの出射光の光軸が通過する部分を除き、断熱材が配置されていることを特徴とする請求項５又は６に記載の光電管カバー。
【請求項８】
前記光透過体は、ガラス板であることを特徴とする請求項５乃至７のいずれか１項に記載の光電管カバー。
【手続補正２】
【補正対象書類名】明細書
【補正対象項目名】０００７
【補正方法】変更
【補正の内容】
【０００７】
（１）機械式駐車装置に設置される光電管を覆う光電管カバーであって、該光電管カバーは、第１筺体と、第２筺体とを有する箱状の本体を含み、前記第１筺体の、前記光電管からの出射光の光軸と対向する面が、下方から上方に向うに従い前記光電管から離間する態様で傾斜し、前記面の一部に前記光電管からの出射光の光軸を通すための切り欠き部が形成され、前記第２筺体の、前記光電管からの出射光の光軸と対向する壁板が、下方から上方に向うに従い前記光電管から離間する態様で傾斜し、前記壁板の一部に前記光電管からの出射光の光軸を通すための切り欠き部が形成され、さらに、前記第２筺体は、前記光電管の取付部が設けられ、前記第１筺体の前記面の後方に前記第２筺体の壁板が位置するように、前記第１筺体と前記第２筺体とが組み合わされている光電管カバー（請求項１）。
【手続補正３】
【補正対象書類名】明細書
【補正対象項目名】０００８
【補正方法】変更
【補正の内容】
【０００８】
本項に係る光電管カバーにおいて、光電管が箱状の本体によって覆われることで、光電管が塵、埃等、又は、雨、雪等の外的要因に直接的に接することがなくなる。又、箱状の本体の第１筺体の、光電管からの出射光の光軸と対向する面は、下方から上方に向うに従い光電管から離間する態様で傾斜している。この構成により、風に乗った雪が、本体の第１筺体の、光電管からの出射光の光軸と対向する面に吹付けられ、その表面に付着したとしても、雪の自重により、あるいは、風が壁板の傾斜面に沿って斜め下方に流れるため、雪も風を受けて斜め下方に流れることで、第１筺体の面に着雪し難いものとなる。さらに、第１筺体及び第２筺体の面及び壁板は、その一部に切り欠き部が形成されていることで、光電管からの出射光の光軸を透過させる箇所が確保される。
さらに、第２筺体は、その底板に光電管の取付部が形成されており、光電管が取付部を介して第２筺体に固定されることとなる。すなわち、光電管は第２筺体側に固定され、第１筺体には固定されていない。このため、光電管の調整等のために光電管カバーを開放するような場合において、第２筺体から第１筺体を取外して、第２筺体に固定された光電管を露出させることで、光電管の調整等を行うこととなる。このとき、光電管に不用意な位置ずれが生じることはなく、光電管等につながる配線が引張られる等、配線に無理な力が加わることもない。
【手続補正４】
【補正対象書類名】明細書
【補正対象項目名】０００９
【補正方法】変更
【補正の内容】
【０００９】
（２）上記（１）項において、前記本体は、長方形の天板、該天板の長辺に接する一対の側板、及び、前記天板の一方の短辺及び前記一対の側板に接する前板を有する第１筺体と、長方形の底板、該底板の一方の短辺に接する前板、及び、前記底板の他方の短辺に接する後板を有する第２筺体とを含み、前記第１筺体の前記前板は、前記天板の一方の短辺に接する一端部から他端部に向うに従い後方に傾斜し、前記前板の傾斜に倣って、前記一対の側板の、前記前板との接続辺も傾斜しており、前記第２筺体の前記底板の長辺の長さ寸法は、前記第１筺体の前記天板の長辺の長さ寸法より小さく、前記第２筺体の前記前板は、前記第１筺体の前記前板に倣って傾斜しており、前記第２筺体の前記底板に前記光電管の前記取付部が形成され、前記第２筺体の前記前板が、前記光電管からの出射光の光軸に対向する前記壁板であり、前記第１筺体の前記前板が前記光電管からの出射光の光軸に対向する前記面である光電管カバー（請求項２）。
【手続補正５】
【補正対象書類名】明細書
【補正対象項目名】００１０
【補正方法】変更
【補正の内容】
【００１０】
本項に係る光電管カバーにおいて、本体は、長方形の天板、天板の長辺に接する一対の側板、及び、天板の一方の短辺及び一対の側板に接する前板を有する第１筺体と、長方形の底板、底板の一方の短辺に接する前板、及び、底板の他方の短辺に接する後板を有する第２筺体とを含む。この構成により、第１筺体の前板の後方に第２筺体の前板が位置するように、第１筺体と第２筺体とが組み合わされることで、光電管を覆う箱体が構成される。又、第１筺体の前板には、光電管からの出射光の光軸を通すための切り欠き部が形成されていることで、第１筺体と第２筺体とが組合わされた状態で、第１筺体の前板の切り欠き部及び第２筺体の前板の切り欠き部によって、光電管からの出射光の光軸が遮られることもない。さらに、第１筺体の前板は、天板の一方の短辺に接する一端部から他端部に向うに従い後方に傾斜し、前板の傾斜に倣って、一対の側板の、前板との接続辺も傾斜しており、第２筺体の底板の長辺の長さ寸法は、第１筺体の天板の長辺の長さ寸法より小さい。この構成により、本体は、第１筺体の天板と第１筺体の前板とが接する短辺側が前方に突き出る形状をなすので、風に乗った雪が本体に吹付けられ、その表面に付着したとしても、雪の自重により、あるいは、風が第１筺体の前板の傾斜面に沿って斜め下方に流れるため、雪も風を受けて斜め下方に流れ、第１筺体の前板に着雪し難いものとなる。さらに、第２筺体は、その底板に光電管の取付部が形成されており、光電管が取付部を介して第２筺体の底板に固定されることとなる。これにより、上記（１）項の光電管カバーで得られるものと同等の作用を得るものとなる。
【手続補正６】
【補正対象書類名】明細書
【補正対象項目名】００２６
【補正方法】変更
【補正の内容】
【００２６】
本体５は、金属材料又は合成樹脂等の材料からなる不透明な箱体であり、第１筺体２１と、第２筺体２３とから構成される。第１筺体２１は、長方形の天板２５、この天板２５の長辺に接する一対の側板２７，２７、及び、天板２５の一方の短辺及び一対の側板２７，２７に接する前板２９を有し、底部及び後部が開放されている（図４参照）。第１筺体２１の前板２９は、光電管３からの出射光の光軸Ｌに対向する面であり、天板２５の一方の短辺に接する一端部から他端部に向うに従い後方に傾斜されている。又、前板２９には、その他端部から一端部に向かって切り欠いた、光電管３からの出射光の光軸Ｌ（図１及び図３参照）を通すための切り欠き部３１が形成されている。この切り欠き部３１は、正面視で、中央部よりも右寄り（図２（ａ）の紙面の右側）にオフセットするように形成されている。さらに、前板２９には、第１筺体２１及び第２筺体２３を固定する締結具３３（図３参照）を挿通するための複数の挿通孔３５（本実施形態では、２つ形成されている、図４参照）が形成されている。第１筺体２１の一対の側板２７，２７は、前板２９の傾斜に伴い、一対の側板２７，２７の、前板２９との接続辺が傾斜されている。